(57)【要約】      （修正有）【課題】小型化、高強度化と施工の簡便化を図った引きよせ金物を提供する。【解決手段】比較的小面積金属板を折曲により前面部ｇを平坦にし、左右両側壁ｋの後端部を小幅水平に折曲し、鍔ｊ及びｏを設け左右同数個のビス孔ｂを穿つ。さらに、引きよせ金物Ｂの左右両側壁上端ｐから数ミリから十数ミリを残し変形代ｅとし、その下方に狭幅スリットｄを設け、前面下端部ｓに前面の平坦部ｇを延伸し突出させ第二のストッパーｒとし、更に両側壁ｋの下端ｔの前方突出部の内側への折曲により第一のストッパーｈとする。【選択図】図１
0003174146.tif 000002
【実用新案登録請求の範囲】
【請求項１】
平坦な前面部から延伸し左右の両側壁の一部に至る狭幅スリットを有し、その両側壁終端部を水平に外側に折曲し、数個のビス孔を穿った鍔を有する平面形状角型Ｕ字形及び正面側面共角型を成す引きよせ金物であって、
高耐力を得る目的から数種機能を内在させる角型としたことを特徴とする引き寄せ金物。
【請求項２】
上端から数ミリから十数ミリ下部に荷重による変形を促進し粘りを生じさせる目的とした平坦な前面部から両側壁にまで延伸した両端部円形の狭幅スリットを設け、両側壁前方下端部の角形突出部を折曲により水平内側に向かい合わせ第一ストッパーとし、前面部下端に第一ストッパーの変形による前面部下端からの突出を抑制する前面部幅と同幅の突起を下端方向に設け第二ストッパーとした狭幅スリットと二重のストッパーを有することを特徴とする請求項１記載の引き寄せ金物。
【請求項３】
基礎より延伸したアンカーボルトの基礎への固定時の施工ミスによる斜め取り付け等のアンカーボルトの取り付け位置に正面から対応し、位置合わせを行う目的から後端部を開放し、両側壁後端部を外側水平に折曲し数か所のビス孔を穿った鍔を設け柱への取り付部としたことを特徴とする請求項２記載の引きよせ金物。
【考案の詳細な説明】
【技術分野】
【０００１】  本考案は、木造建築物を構成する構造部材である横架材の梁や土台を介しボルト等により基礎と柱、柱と柱を緊結する場合に用いる引きよせ金物に関する。
【背景技術】
【０００２】  従来木造建築物の構造部材同士の接合には、接合する構造部材各々の木口を蟻、釜といった形状に加工し接合してきたが、特に横架材と柱の接合は、横架材のホゾ孔に柱のホゾを差し込み外側から帯金物、羽子板ボルト等の金物等を用い接合し補強している。
このことは、帯金物や羽子板ボルトの接合強度が接合部の接合強度と言っても過言ではない。【０００３】  然しながら、これらの方法では作用する引き抜き力に抵抗し建築物を安全に保つための十分な耐力が得られない。
このことは建築物を支える耐力壁が高強度、高耐力になってくれば当然のこととして作用する力もそれに応じ大きくなる。【０００４】  耐力壁を構成する構造部材には柱、筋違い、構造用面材といったものがあるが、その主要部材として無くてはならないものが柱で有り、柱に引き抜き力が集中的に作用することにより柱と横架材等他の構造部材との高強度接合が必要となる。
【考案の開示】
【考案が解決しようとする課題】
【０００５】  従来技術での引きよせ金物は、高耐力を得るため引き寄せ金物の大型化、厚鋼板を用いる等引き寄せ金物が長大化しており、その一棟当たりの取り付け個数も増え、ビス等を用いた取り付け方法は取り付け個数が増えることにより施工時間も増えることになる。【０００６】  本考案は斯様な点を鑑みなされたもので、その目的とするところは、従来型引きよせ金物ではできなかった引き寄せ金物の小型化と簡易施工による施工時間の短縮、後付け等多くのケースに対応し広範囲な施工を可能にすること及び引きよせ金物のローコスト化にある。
【課題を解決するための手段】
【０００７】  上述の目的を達成する本考案の角型引きよせ金物（以下引きよせ金物という）は、一般的な前端円形のアンカーボルトとの接合部を有する従来型引きよせ金物とは異なり平坦な前面部に両側壁まで延伸した狭福スリットを有している。【０００８】  平坦な前面部を中心としてその両側を前面部から後方に向かい折曲し両側壁とした前面部角型、両側面角型形状の引きよせ金物で、両側壁後端部を鍔として外側に向かい折曲している。【０００９】  本考案の引きよせ金物は荷重に対し前面部上方を下方へ押し下げ変形させ粘りを持たせる目的から引きよせ金物の上端から数ミリから十数ミリ残した変形代ｅを設け、その下部に数ミリ幅の両側壁の一部にまで延伸した狭幅スリットｄを設けている。【００１０】  更に前面下端部には、引きよせ金物の厚みより若干大き目に突出させた第二のストッパーｒと両側側壁前方下端部ｔからの突出部の内側への折曲により創出した第一のストッパーｈを設けていることを特徴とする。【００１１】  一例として、上記引きよせ金物は土台２に接合する柱１に対し、引きよせ金物後面部が解放されていることで土台１を介し基礎から延伸したアンカーボルトＡを包込む形でアンカーボルトＡの正面から取り付けられることを特徴とする。
【考案の効果】
【００１２】  以上説明したように本考案によれば、建築物の高耐力を必要とする部分の柱の下部側面に引きよせ金物を取り付けるが、基礎から延伸したアンカーボルトの位置は垂直とは限らずズレたり、曲がったり偏芯して必ずしも正確に施工されていない。【００１３】  従って、従来からの引きよせ金物を取り付けるには、アンカーボルトの取り付け状態に合わせなければならず吊下げ部を持つ従来の引きよせ金物は大きな空間を必要とした。吊下げ部が存在しない本考案の引きよせ金物は小空間に取り付けることが可能であり施工時間の短縮も可能である。
【考案を実施するための最良の形態】
【００１４】以下、本考案の実施の形態を図面に基づき詳細に説明する。【００１５】  図１〜図４は本考案の第１の実施の形態に係り、図１はその部分断面斜視図、図２はその中央部の縦断面図、図３は前部下端部ストッパー斜視図、図４は外観斜視図、図５は金属板の折曲前の型取り図である。【００１６】  本考案の引きよせ金物は図１及び図２に示すように比較的小面積金属板を折曲により前面部ｇを平坦にし左右両側壁ｋの後端部を小幅水平に折曲し鍔ｊ及びｏを設け左右同数個のビス孔ｂを穿ち、引きよせ金物Ｂの左右両側壁上端ｐから数ミリから十数ミリを残し変形代ｅとし、その下方に狭幅スリットｄを設け、前面下端部ｓに前面の平坦部ｇを延伸し突出させ第二のストッパーｒとし、更に両側壁ｋの下端ｔの前方突出部ｖの内側への折曲により第一のストッパーｈとしたものである。【００１７】建築物に地震、風等の水平力が作用した場合、その水平力は引き抜き力として柱１等構造部材に作用することになり、土台２等横架材に接合している柱１等との接合部に集中的に作用し接合部を破壊しようとする。【００１８】  この時、この引き抜き力に抵抗するのが引きよせ金物Ｂと緊結された基礎から延伸しているアンカーボルトＡや横架材を貫通して上下柱を緊結している貫通ボルトであるが、このボルトも引き抜き力が大きくなると前傾し「くの字型」に変形してしまう。【００１９】  これと同時に引きよせ金物後端部鍔ｊ、ｏの下端部ｕが柱１にめり込み引きよせ金物の後端部鍔ｊ及びｏの取り付けビスｂが破断してしまい結果として高耐力が得られない。【００２０】  この状況を解決するために、引きよせ金物上方に水平に両側壁ｋにまで延伸した狭幅スリットｄを設け狭幅スリットｄの直上部の変形代ｅの下方へ変形と第一のストッパーｈにより両側壁後端部鍔ｊ、ｏの下端部の柱１へのめり込みが抑止され、引きよせ金物Ｂの上部変形代ｅの下方向への変形とストッパーｈによるめり込みの低減が引きよせ金物Ｂに粘りをもたせ最終強度を向上させることが可能となる。
【実施例】
【００２１】  本考案の引きよせ金物は吊下げ部分が無く、両側の鍔ｊ、ｏのビス孔ａからビスｂにて柱１等構造部材に取り付けられるため、引きよせ金物の吊下げ部を長くしたりする必要がない、それにより引きよせ金物の小型軽量化が可能となり搬送性、施工性、コスト等に於いて多大のメリットを有する【００２２】  以上、本考案の実施の形態及び実施例を説明したが、本考案の範囲はこれに限定されるものではない。
例えば、本考案の引きよせ金物は小型であるため横架材交差部に於いても横架材側面を貫通しそれに直交する横架材同志を接合することや横架材を介し上下の柱を緊結する等垂直、水平両方向に使用することが可能であり、その状況に応じ適宜選択されるものである。【００２３】  実施例では、在来木造建築物について説明しているが、軽量鉄骨造や枠組み壁工法等の建築物にも使用できピン構造の建築物であれば広く用いることが可能である。
【産業上の利用の可能性】
【００２４】  本考案では構造強度を向上させることにより木造住宅等を設計建築する分野で利用することができる。
【図面の簡単な説明】
【００２５】
【図１】  本考案の引きよせ金物の実施の形態に係る引きよせ金物を構造部材である柱に取り付けた状態を示す部分断面斜視図である。
【図２】  本考案の引きよせ金物を構造部材である柱に取り付けた状態を示す中央部縦断面図である。
【図３】  第１のストッパーと第２のストッパーとの関係を示す斜視断面図である。
【図４】  本考案の引きよせ金物外観斜視図である。
【図５】  本考案の引きよせ金物の折曲前の金属板の型取り図である。
【符号の説明】
【００２６】１      柱
２      土台
Ａ      アンカーボルト
Ｂ      引きよせ金物
ａ      ビス孔
ｂ      ビス
ｃ      ワッシャー
ｄ      狭幅スリット
ｅ      変形代
ｆ      ナット
ｇ      前面部
ｈ      第一のストッパー
ｊ      後端部鍔
ｋ      側壁
ｏ      後端部鍔
ｐ      両側壁上端
ｒ      第二のストッパー
ｓ      前面下端部
ｔ      両側壁前方下端部
ｕ      鍔下端部
ｖ      前方突出部
ｗ      折曲線
【図１】
0003174146.tif 000003
【図２】
0003174146.tif 000004
【図３】
0003174146.tif 000005
【図４】
0003174146.tif 000006
【図５】
0003174146.tif 000007